(57)【要約】  アダプタ機能を有するドッキングステーションおよび端末付属品は、電子技術分野に適用する。アダプタ機能を有するドッキングステーションは、ＡＣ／ＤＣ変換モジュール、充電モジュール、制御モジュールおよび少なくとも２つのインターフェースモジュールを含む。交流電源からＡＣ／ＤＣ変換モジュールに交流電力を出力するとき、ＡＣ／ＤＣ変換モジュールは、交流電力に従って充電モジュールおよび制御モジュールに第１直流電力および第２直流電力をそれぞれ出力し、それにより、制御ユニットは、第１直流電力に従って動作し、充電モジュールが第２直流電力に従ってそれぞれのインターフェースモジュールに接続されたターゲット機器を充電するように制御する。それぞれのインターフェースモジュールがターゲット機器にそれぞれ接続されると、制御モジュールは、それぞれのインターフェースモジュールの信号伝送順序を制御し、ターゲット機器間でインターフェースモジュールを介したデータ伝送が行われるようにする。それによって、ドッキングステーションは、使用中にアダプタとして端末に給電することもでき、端末の継続的な動作を保証する。
2019533977.tif 000002
【特許請求の範囲】
【請求項１】
交流電源とターゲット機器の間を接続して前記ターゲット機器を充電し、または複数の前記ターゲット機器の間を接続してデータ伝送経路を提供するためのアダプタ機能を有するドッキングステーションであって、前記ドッキングステーションは、ＡＣ／ＤＣ変換モジュール、充電モジュール、制御モジュールおよび少なくとも２つのインターフェースモジュールを含み、
前記交流電源が前記ＡＣ／ＤＣ変換モジュールに交流電力を出力するとき、前記ＡＣ／ＤＣ変換モジュールは、前記交流電力に従って前記充電モジュールおよび前記制御モジュールに第１直流電力および第２直流電力をそれぞれ出力し、それにより、前記制御ユニットは、前記第１直流電力に従って動作し、前記充電モジュールが前記第２直流電力に従ってそれぞれの前記インターフェースモジュールに接続された前記ターゲット機器を充電するように制御し、
それぞれの前記インターフェースモジュールが前記ターゲット機器にそれぞれ接続されると、前記制御モジュールは、それぞれの前記インターフェースモジュールの信号伝送順序を制御し、前記ターゲット機器間で前記インターフェースモジュールを介したデータ伝送が行われるようにする、ことを特徴とするアダプタ機能を有するドッキングステーション。
【請求項２】
前記ＡＣ／ＤＣ変換モジュールの入力端は前記交流電源に接続され、前記ＡＣ／ＤＣ変換モジュールの第１出力端は前記充電モジュールの入力端に接続され、前記ＡＣ／ＤＣ変換モジュールの第２出力端は前記制御モジュールの電源入力端に接続され、前記制御モジュールのトリガー信号出力端は前記充電モジュールのトリガー信号端に接続され、それぞれの前記インターフェースモジュールの直流電力入力端は前記充電モジュールの直流電力出力端に接続され、それぞれの前記インターフェースモジュールの機器検出端は前記充電モジュールの認識信号サンプリング端に接続され、前記制御モジュールの複数の通信端はそれぞれの前記インターフェースモジュールの通信端にそれぞれ接続される、ことを特徴とする請求項１に記載のドッキングステーション。
【請求項３】
前記ドッキングステーションは、マルチメディア信号読取機器に接続するためのマルチメディア信号インターフェースモジュールをさらに含み、
マルチメディア信号インターフェースモジュールが前記マルチメディア信号読取機器に接続され、且つ前記インターフェースモジュールがターゲット機器に接続されると、前記ドッキングステーションは、受信されたターゲット信号を前記マルチメディア信号読取機器に送信して読み取り、ここで、前記ターゲット信号は前記インターフェースモジュールに接続された前記ターゲット機器によって送信される、ことを特徴とする請求項２に記載のドッキングステーション。
【請求項４】
前記マルチメディア信号インターフェースモジュールの信号入力端は、前記制御モジュールのビデオ信号出力端に接続されることを特徴とする、請求項３に記載のドッキングステーション。
【請求項５】
前記ドッキングステーションは、第１インターフェースモジュールおよび第２インターフェースモジュールをさらに含み、前記充電モジュールは、認識ユニット、第１充電ユニットおよび第２充電ユニットを含み、
前記第１充電ユニットの被制御端と前記第２充電ユニットの被制御端は前記認識ユニットの出力端に共に接続され、前記認識ユニットの電源入力端は前記充電モジュールの入力端であり、前記第１充電ユニットの充電出力端と前記第２充電ユニットの充電出力端は前記充電モジュールの直流電力出力端を構成し、前記認識ユニットの信号サンプリング端は前記充電モジュールの認識信号サンプリング端であり、
前記交流電源から前記ＡＣ／ＤＣ変換モジュールに交流電力が出力されると、前記制御モジュールは前記認識ユニットにトリガー信号を送信し、さらに前記認識ユニットを動作させるようにトリガーし、前記認識ユニットは、前記第１インターフェースモジュールが前記ターゲット機器に接続されると認識した場合、前記第１充電ユニットを制御して前記ターゲット機器を充電させ、または
前記認識ユニットは、前記第１インターフェースモジュールおよび前記第２インターフェースモジュールがそれぞれ２つの前記ターゲット機器に接続されると認識した場合、前記第２充電ユニットを制御して前記第１インターフェースモジュールおよび前記第２インターフェースモジュールを介してそれぞれの前記ターゲット機器を充電させる、ことを特徴とする請求項２に記載のドッキングステーション。
【請求項６】
前記制御モジュールは制御ユニットおよび変換ユニットを含み、
前記制御ユニットの電源入力端と前記変換ユニットの電源入力端は前記制御モジュールの電源入力端を構成し、前記制御ユニットの第１信号端は前記制御モジュールの第１通信端であり、前記制御モジュールの第１通信端は前記第１インターフェースモジュールへの接続に使用され、前記制御ユニットの第２信号端は前記変換ユニットの第１通信端に接続され、前記変換ユニット第２通信端は前記制御モジュールの第２通信端であり、前記制御モジュールの第２通信端は前記第２インターフェースモジュールへの接続に使用され、前記変換ユニットの第３信号端は前記制御モジュールのビデオ信号出力端である、ことを特徴とする請求項５に記載のドッキングステーション。
【請求項７】
前記認識ユニットは、第１チップ、第１ダイオード、第１リレー、第１抵抗、第２抵抗、第３抵抗、第４抵抗、第５抵抗、第６抵抗、第１スイッチングトランジスタ、第２スイッチングトランジスタ、第３スイッチングトランジスタ、第１電気容量および第２電気容量を含み、
前記第１ダイオードの第１端と前記第１抵抗の第１端は前記第１リレーの第１端に共に接続され、且つ第１ノードを構成し、前記第１ノードは前記認識ユニットの電源入力端であり、前記第１ダイオードの第２端は接地され、前記第１抵抗の第２端と前記リレーの第２端は前記第１スイッチングトランジスタの高電位側に共に接続され、前記第１スイッチングトランジスタの低電位側は接地され、前記第１スイッチングトランジスタの被制御端と前記第２抵抗の第１端は前記第１チップの電源制御端に共に接続され、前記第１チップのトリガー信号入力端は前記認識ユニットのトリガー信号端であり、前記第２抵抗の第２端は接地され、前記第１リレーの第３端と前記第３抵抗の第１端は前記第１電気容量の第１端に接続され、前記第３抵抗の第２端は前記第２スイッチングトランジスタの高電位側に接続され、前記第２スイッチングトランジスタの被制御端は前記第１スイッチングトランジスタの高電位側に接続され、前記第２スイッチングトランジスタの低電位側は接地され、前記第１電気容量の第２端は接地され、前記第１電気容量の第１端は前記第４抵抗の第１端に接続され、前記第４抵抗の第２端と前記第５抵抗の第１端は前記第２電気容量の第１端に共に接続され、前記第５抵抗の第２端と前記第２電気容量の第２端は接地され、前記第１チップの切換制御端と前記第６抵抗の第１端は前記第３スイッチングトランジスタの被制御端に共に接続され、前記第６抵抗の第２端は接地され、前記第３スイッチングトランジスタの高電位側は前記第４抵抗の第１端に接続され、第２ノードを構成し、前記第２ノードは前記認識ユニットの出力端であり、前記第３スイッチングトランジスタの低電位側は接地され、前記第１チップの信号サンプリング端は前記認識ユニットの信号サンプリング端である、ことを特徴とする請求項５に記載のドッキングステーション。
【請求項８】
前記第１充電ユニットは、第２チップ、第２リレー、第３リレー、第３電気容量、第２ダイオード、第３ダイオード、第４ダイオード、第４スイッチングトランジスタ、第７抵抗、第８抵抗、第９抵抗、第１０抵抗、第１１抵抗、第１２抵抗、第１３抵抗、第１４抵抗、第１５抵抗、第１６抵抗および第１７抵抗を含み、
前記第７抵抗の第１端と前記第８抵抗の第１端は前記第９抵抗の第１端に共に接続され、前記第９抵抗の第２端と前記第３電気容量の第１端は前記第２チップの電源入力端に共に接続され、前記第３電気容量の第２端は接地され、前記第７抵抗の第１端は前記第１充電ユニットの被制御端であり、前記第７抵抗の第２端と前記第２ダイオードの第１端は前記第２チップの第１入力端に接続され、前記第２ダイオードの第２端は接地され、前記第８抵抗の第２端と前記第１１抵抗の第１端は前記第２チップの第２入力端に接続され、前記第１１抵抗の第２端は接地され、前記第１２抵抗の第１端は前記第８抵抗の第１端に接続され、前記第１２抵抗の第２端と前記第１３抵抗の第１端は前記第２チップの第３入力端に共に接続され、前記第１３抵抗の第２端は接地され、前記第２チップの第４入力端は前記第７抵抗の第２端に接続され、前記第２チップの第１出力端は前記第１６抵抗の第１端に接続され、前記第１６抵抗の第２端と前記第１０抵抗の第１端は前記第３ダイオードの第１端に接続され、前記第１０抵抗の第２端は前記第２リレーの第１端に接続され、前記第３ダイオードの第２端は前記第２リレーの第２端に接続され、前記第２チップの第２出力端は前記第１４抵抗の第１端に接続され、前記第１４抵抗の第２端と前記第３ダイオードの第１端は前記第１５抵抗の第１端に接続され、前記第１５抵抗の第２端は前記第２チップのアース端子に接続され、前記第１７抵抗の第１端と前記第４スイッチングトランジスタの低電位側は前記第２リレーの第３端に接続され、前記第１７抵抗の第２端と前記第４ダイオードの第１端は前記四スイッチングトランジスタの被制御端に共に接続され、前記第４ダイオードの第２端は接地され、前記第４スイッチングトランジスタの高電位側は接地され、前記第４スイッチングトランジスタの高電位側と前記第４スイッチングトランジスタの低電位側は前記第３リレーの第１端に共に接続され、前記第３リレーの第２端は前記第１充電ユニットの充電出力端である、ことを特徴とする請求項５に記載のドッキングステーション。
【請求項９】
前記第２充電ユニットは、第３チップ、第１８抵抗、第１９抵抗、第２０抵抗、第２１抵抗、第２２抵抗、第２３抵抗、第２４抵抗、第５ダイオード、第１インダクタ、第４電気容量、第５電気容量、第６電気容量および第７電気容量を含み、
前記第４電気容量の第１端、前記第１８抵抗の第１端は前記第３チップの直流電力入力端に共に接続され、且つ第４ノードを構成し、前記第４ノードは前記第２充電ユニットの被制御端であり、前記第４電気容量の第２端は接地され、前記第１８抵抗の第２端と前記第１９抵抗の第１端は前記第３チップのイネーブル端子に接続され、前記第１９抵抗の第２端は接地され、前記第３チップの昇圧制御端は前記第２０抵抗の第１端に接続され、前記第２０抵抗の第２端と前記第５電気容量の第１端は前記第５ダイオードの第１端に共に接続され、前記第５電気容量の第２端と前記第１インダクタの第１端は前記第３チップのスイッチノード端に共に接続され、前記第５ダイオードの第２端と前記第２３抵抗の第１端は前記第１インダクタの第２端に共に接続され、前記第２１抵抗の第１端は前記第１インダクタの第１端に接続され、前記第２１抵抗の第２端と前記第６電気容量の第１端は前記第２２抵抗の第１端に共に接続され、前記第２２抵抗の第２端は前記第３チップのフィードバック端に接続され、前記第６電気容量の第２端は前記第１インダクタの第２端に接続され、前記第２３抵抗の第２端と前記第２４抵抗の第１端は前記第２２抵抗の第２端に共に接続され、前記第２４抵抗の第２端は接地され、前記第７電気容量の第１端は前記第２３抵抗の第１端に接続され、前記第７電気容量の第１端は前記第２充電ユニットの充電出力端であり、前記第７電気容量の第２端は接地される、ことを特徴とする請求項５に記載のドッキングステーション。
【請求項１０】
端末電源として前記端末を接続し、または端末にデータ伝送経路を提供するための端末付属品であって、請求項１〜９のいずれか一項に記載のアダプタ機能を有するドッキングステーションを含む、ことを特徴とする端末付属品。
【発明の詳細な説明】
【技術分野】
【０００１】
本発明は電子技術分野に関し、特に、アダプタ機能を有するドッキングステーションおよび端末付属品に関する。
【背景技術】
【０００２】
端末（例えば、携帯電話、コンピュータやタブレットなど）が普及するにつれて、人々の生活および仕事はますます便利になっている。仕様の異なる端末間でデータを伝送する場合、データ線やドッキングステーションなどを接続することで実現できる。既存のドッキングステーションは、仕様の異なる端末間でのデータ伝送を満たすために、端末に異なるデータインターフェースを提供することができるが、既存のドッキングステーションは端末にデータ伝送リンクを提供することしかできず、かつ端末からの給電を必要とするため、既存のドッキングステーションを使用してデータを伝送すると、端末の消費電力が増え、端末の持久力が低下する。
【発明の概要】
【発明が解決しようとする課題】
【０００３】
本発明の実施例は、アダプタ機能を有するドッキングステーションおよび端末付属品を提供し、既存のドッキングステーションを使用するときに端末からの給電を必要とし、それにより端末がより多くの電力を消費するという問題を解決することを旨とする。
【課題を解決するための手段】
【０００４】
本発明の目的は、交流電源とターゲット機器の間を接続して前記ターゲット機器を充電し、または複数の前記ターゲット機器の間を接続してデータ伝送経路を提供するためのアダプタ機能を有するドッキングステーションを提供することにあり、前記ドッキングステーションは、ＡＣ／ＤＣ変換モジュール、充電モジュール、制御モジュールおよび少なくとも２つのインターフェースモジュールを含む。
【０００５】
前記交流電源が前記ＡＣ／ＤＣ変換モジュールに交流電力を出力するとき、前記ＡＣ／ＤＣ変換モジュールは、前記交流電力に従って前記充電モジュールおよび前記制御モジュールに第１直流電力および第２直流電力をそれぞれ出力し、それにより、前記制御ユニットは、前記第１直流電力に従って動作し、前記充電モジュールが前記第２直流電力に従ってそれぞれの前記インターフェースモジュールに接続された前記ターゲット機器を充電するように制御する。
【０００６】
それぞれの前記インターフェースモジュールが前記ターゲット機器にそれぞれ接続されると、前記制御モジュールは、それぞれの前記インターフェースモジュールの信号伝送順序を制御し、前記ターゲット機器間で前記インターフェースモジュールを介したデータ伝送が行われるようにする。
【０００７】
本発明の別の目的は、端末電源として前記端末を接続し、または端末にデータ伝送経路を提供するための端末付属品を提供することにあり、前記端末付属品は、上記のようなアダプタ機能を有するドッキングステーションを含む。
【発明の効果】
【０００８】
本発明に係るアダプタ機能を有するドッキングステーションは、交流電源とターゲット機器の間を接続してターゲット機器を充電し、または複数のターゲット機器の間を接続してデータ伝送経路を提供するために使用され、ドッキングステーションは、ＡＣ／ＤＣ変換モジュール、充電モジュール、制御モジュールおよび少なくとも２つのインターフェースモジュールを含む。交流電源からＡＣ／ＤＣ変換モジュールに交流電力を出力するとき、ＡＣ／ＤＣ変換モジュールは、交流電力に従って充電モジュールおよび制御モジュールに第１直流電力および第２直流電力をそれぞれ出力し、それにより、制御ユニットを、第１直流電力に従って動作させ、充電モジュールが第２直流電力に従ってそれぞれのインターフェースモジュールに接続されたターゲット機器を充電するように制御する。それぞれのインターフェースモジュールがターゲット機器にそれぞれ接続されると、制御モジュールは、それぞれのインターフェースモジュールの信号伝送順序を制御し、ターゲット機器間でインターフェースモジュールを介したデータ伝送が行われるようにする。それによって、ドッキングステーションは、使用中にアダプタとして端末に給電することもでき、端末の継続的な動作を保証する。
【図面の簡単な説明】
【０００９】
【図１】本発明の実施例によるアダプタ機能を有するドッキングステーションの構造概略図である。
【図２】本発明の実施例によるアダプタ機能を有するドッキングステーションの具体的な構造概略図である。
【図３】本発明の実施例によるアダプタ機能を有するドッキングステーションにおける認識ユニットの具体的な回路図である。
【図４】本発明の実施例によるアダプタ機能を有するドッキングステーションにおける第１充電ユニットの具体的な回路図である。
【図５】本発明の実施例によるアダプタ機能を有するドッキングステーションにおける第２充電ユニットの具体的な回路図である。
【図６】本発明の実施例による端末付属品の構造概略図である。
【発明を実施するための形態】
【００１０】
本発明の目的、技術的解決手段及び利点をより明らかにするために、以下、図面及び実施例に合わせて本発明をより詳細に説明する。ここで説明される具体的な実施例は本発明を解釈するためのものに過ぎず、本発明を限定するためのものではないことを理解すべきである。
本発明の実施例は、アダプタ機能を有するドッキングステーションおよび端末付属品を提供し、既存のドッキングステーションを使用するときに端末からの給電を必要とし、それにより端末がより多くの電力を消費するという問題を解決することを旨とする。
【００１１】
以下、具体的な実施例に合わせて本発明の実現について詳細に説明する。
図１は本発明の実施例によるアダプタ機能を有するドッキングステーションの構造を示し、説明の便宜上、本発明の実施例に関連する部分のみを示す。
図１に示すように、アダプタ機能を有するドッキングステーション１００は、交流電源１１０とターゲット機器１２０の間を接続してターゲット機器１２０を充電し、または複数のターゲット機器１２０の間を接続してデータ伝送経路を提供する。アダプタ機能を有するドッキングステーション１００は、ＡＣ／ＤＣ変換モジュール１０、充電モジュール２０、制御モジュール３０および少なくとも２つのインターフェースモジュール４０を含む。
【００１２】
交流電源１１０がＡＣ／ＤＣ変換モジュール１０に交流電力を出力するとき、ＡＣ／ＤＣ変換モジュール１０は、交流電力に従って充電モジュール２０および制御モジュール３０に第１直流電力および第２直流電力をそれぞれ出力し、それにより、制御ユニット３０は、第１直流電力に従って動作し、充電モジュール２０が第２直流電力に従ってそれぞれのインターフェースモジュール４０に接続されたターゲット機器１２０を充電するように制御する。
【００１３】
それぞれのインターフェースモジュール４０がターゲット機器１２０にそれぞれ接続されると、制御モジュール３０は、それぞれのインターフェースモジュール４０の信号伝送順序を制御し、ターゲット機器１２０間でインターフェースモジュール４０を介したデータ伝送が行われるようにする。
【００１４】
なお、本実施例において、ターゲット機器１２０はコンピュータ、携帯電話またはタブレットであってもよい。
交流電源１１０がＡＣ／ＤＣ変換モジュール１０に交流電力を出力し、それぞれのインターフェースモジュール４０がそれぞれターゲット機器１２０に接続されると、ドッキングステーション１００は、交流電力に従ってそれぞれのターゲット機器１２０を充電すると同時に、複数のターゲット機器１２０間のデータ伝送経路として機能することは理解すべきである。
【００１５】
図１に示すように、ＡＣ／ＤＣ変換モジュール１０の入力端は交流電源１１０に接続され、ＡＣ／ＤＣ変換モジュール１０の第１出力端は充電モジュール２０の入力端に接続され、ＡＣ／ＤＣ変換モジュール１０の第２出力端は制御モジュール３０の電源入力端に接続され、制御モジュール３０のトリガー信号出力端は充電モジュール２０のトリガー信号端に接続され、それぞれのインターフェースモジュール４０の直流電力入力端は充電モジュール２０の直流電力出力端に接続され、それぞれのインターフェースモジュール４０の機器検出端は充電モジュール２０の認識信号サンプリング端に接続され、制御モジュール３０の複数の通信端はそれぞれのインターフェースモジュール４０の通信端にそれぞれ接続される。
【００１６】
さらに、図１に示すように、ドッキングステーション１００は、マルチメディア信号読取機器１３０に接続するためのマルチメディア信号インターフェースモジュール５０をさらに含む。
マルチメディア信号インターフェースモジュール５０がマルチメディア信号読取機器１３０に接続され、且つインターフェースモジュール４０がターゲット機器１２０に接続されると、ドッキングステーション１００は、受信されたターゲット信号をマルチメディア信号読取機器１３０に送信して読み取る。ここで、ターゲット信号はインターフェースモジュール４０に接続されたターゲット機器１２０によって送信される。
【００１７】
さらに、マルチメディア信号インターフェースモジュール５０の信号入力端は、制御モジュール３０のビデオ信号出力端に接続される。
なお、マルチメディア信号インターフェースモジュール５０は、ＶＧＡインターフェース、ＤＶＩインターフェース、ＨＤＭＩ（登録商標）インターフェースまたはＤＰインターフェースを含んでもよい。
【００１８】
図２は本発明の実施例によるアダプタ機能を有するドッキングステーションの具体的な構造概略図である。図２に示すように、ドッキングステーション１００は、第１インターフェースモジュール４０および第２インターフェースモジュール５０を含み、充電モジュール２０は、認識ユニット２１、第１充電ユニット２２および第２充電ユニット２３を含む。
【００１９】
第１充電ユニット２２の被制御端と第２充電ユニット２３の被制御端は認識ユニット２１の出力端に共に接続され、認識ユニット２１の電源入力端は充電モジュール２０の入力端であり、第１充電ユニット２２の充電出力端と第２充電ユニット２３の充電出力端は充電モジュール２０の直流電力出力端を構成し、認識ユニット２１の信号サンプリング端は充電モジュール２０の認識信号サンプリング端である。
【００２０】
交流電源１１０からＡＣ／ＤＣ変換モジュール１０に交流電力が出力されると、制御モジュール３０は認識ユニット２１にトリガー信号を送信し、さらに認識ユニット２１を動作させるようにトリガーし、認識ユニット２１は、第１インターフェースモジュール４０がターゲット機器１２０に接続されると認識した場合、第１充電ユニット２２を制御してターゲット機器１２０を充電させる。または、認識ユニット２１は、第１インターフェースモジュール４０および第２インターフェースモジュール５０がそれぞれ２つのターゲット機器１２０に接続されると認識した場合、第２充電ユニット２３を制御して第１インターフェースモジュール４０および第２インターフェースモジュール５０を介してそれぞれのターゲット機器１２０を充電させる。
【００２１】
図２に示すように、制御モジュール３０は制御ユニット３１および変換ユニット３２を含む。
制御ユニット３１の電源入力端と変換ユニット３２の電源入力端は制御モジュール３０の電源入力端を構成し、制御ユニット３１の第１信号端は制御モジュール３０の第１通信端であり、制御モジュール３０の第１通信端は第１インターフェースモジュール４０への接続に使用され、制御ユニット３１の第２信号端は変換ユニット３２の第１通信端に接続され、変換ユニット３２の第２通信端は制御モジュール３０の第２通信端であり、制御モジュール３０の第２通信端は第２インターフェースモジュール５０への接続に使用され、変換ユニット３２の第３信号端は制御モジュール３０のビデオ信号出力端である。
【００２２】
図３は本発明の実施例によるアダプタ機能を有するドッキングステーションにおける認識ユニットの具体的な回路図である。図３に示すように、認識ユニット２１は、第１チップＵ１、第１ダイオードＤ１、第１リレーＱＰ１、第１抵抗Ｒ１、第２抵抗Ｒ２、第３抵抗Ｒ３、第４抵抗Ｒ４、第５抵抗Ｒ５、第６抵抗Ｒ６、第１スイッチングトランジスタＱ１、第２スイッチングトランジスタＱ２、第３スイッチングトランジスタＱ３、第１電気容量Ｃ１および第２電気容量Ｃ２を含む。
【００２３】
第１ダイオードＤ１の第１端と第１抵抗Ｒ１の第１端は第１リレーＱＰ１の第１端に共に接続され、且つ第１ノードを構成し、第１ノードは認識ユニットの電源入力端であり、第１ダイオードＤ１の第２端は接地され、第１抵抗Ｒ１の第２端とリレーの第２端は第１スイッチングトランジスタＱ１の高電位側に共に接続され、第１スイッチングトランジスタＱ１の低電位側は接地され、第１スイッチングトランジスタＱ１の被制御端と第２抵抗Ｒ２の第１端は第１チップＵ１の電源制御端ＣＴＲＬに共に接続され、第１チップＵ１のトリガー信号入力端ＰＷＭは認識ユニット２１のトリガー信号端であり、第２抵抗Ｒ２の第２端は接地され、第１リレーＱＰ１の第３端と第３抵抗Ｒ３の第１端は第１電気容量Ｃ１の第１端に共に接続され、第３抵抗Ｒ３の第２端は第２スイッチングトランジスタＱ２の高電位側に接続され、第２スイッチングトランジスタＱ２の被制御端は第１スイッチングトランジスタＱ１の高電位側に接続され、第２スイッチングトランジスタＱ２の低電位側は接地され、第１電気容量Ｃ１の第２端は接地され、第１電気容量Ｃ１の第１端は第４抵抗Ｒ４の第１端に接続され、第４抵抗Ｒ４の第２端と第５抵抗Ｒ５の第１端は第２電気容量Ｃ２の第１端に共に接続され、第５抵抗Ｒ５の第２端と第２電気容量Ｃ２の第２端は接地され、第１チップＵ１の第１切換装置ＯＵＴは第４抵抗Ｒ４の第２端に接続され、第１チップＵ１の第２切換制御端ＤＩＳＣＨＡＲＧＥと第６抵抗Ｒ６の第１端は第３スイッチングトランジスタＱ３の被制御端に接続され、第６抵抗Ｒ６の第２端は接地され、第３スイッチングトランジスタＱ３の高電位側は第４抵抗Ｒ４の第１端に接続され、第２ノードを構成し、第２ノードは認識ユニット２１の出力端であり、第３スイッチングトランジスタＱ３の低電位側は接地され、第１チップＵ１の信号サンプリング端Ｉ２Ｃは認識ユニット２１の信号サンプリング端である。
【００２４】
図４は本発明の実施例によるアダプタ機能を有するドッキングステーションにおける第１充電ユニットの具体的な回路図である。図４に示すように、第１充電ユニット２２は、第２チップＵ２、第２リレーＱＰ２、第３リレーＱＰ３、第３電気容量Ｃ３、第２ダイオードＤ２、第３ダイオードＤ３、第４ダイオードＤ４、第４スイッチングトランジスタＱ４、第７抵抗Ｒ７、第８抵抗Ｒ８、第９抵抗Ｒ９、第１０抵抗Ｒ１０、第１１抵抗Ｒ１１、第１２抵抗Ｒ１２、第１３抵抗Ｒ１３、第１４抵抗Ｒ１４、第１５抵抗Ｒ１５、第１６抵抗Ｒ１６および第１７抵抗Ｒ１７を含む。
【００２５】
第７抵抗Ｒ７の第１端は第８抵抗Ｒ８の第１端と第９抵抗Ｒ９の第１端に共に接続され、第９抵抗Ｒ９の第２端と第３電気容量Ｃ３の第１端は第２チップＵ２の電源入力端に共に接続され、第３電気容量Ｃ３の第２端は接地され、第７抵抗Ｒ７の第１端は第１充電ユニット２２の被制御端であり、第７抵抗Ｒ７の第２端と第２ダイオードＤ２の第１端は第２チップＵ２の第１入力端１ＩＮ＋に共に接続され、第２ダイオードＤ２の第２端は接地され、第８抵抗Ｒ８の第２端と第１１抵抗Ｒ１１の第１端は第２チップＵ２の第２入力端１ＩＮ−に共に接続され、第１１抵抗Ｒ１１の第２端は接地され、第１２抵抗Ｒ１２の第１端は第８抵抗Ｒ８の第１端に接続され、第１２抵抗Ｒ１２の第２端と第１３抵抗Ｒ１３の第１端は第２チップＵ２の第３入力端２ＩＮ＋に共に接続され、第１３抵抗Ｒ１３の第２端は接地され、第２チップＵ２の第４入力端２ＩＮ−は第７抵抗Ｒ７の第２端に接続され、第２チップＵ２の第１出力端ＯＵＴ１は第１６抵抗Ｒ１６の第１端に接続され、第１６抵抗Ｒ１６の第２端と第１０抵抗Ｒ１０の第１端は第３ダイオードＤ３の第１端に接続され、第１０抵抗Ｒ１０の第２端は第２リレーＱＰ２の第１端に接続され、第３ダイオードＤ３の第２端は第２リレーＱＰ２の第２端に接続され、第２チップＵ２の第２出力端ＯＵＴ２は第１４抵抗Ｒ１４の第１端に接続され、第１４抵抗Ｒ１４の第２端と第３ダイオードＤ３の第１端は第１５抵抗Ｒ１５の第１端に接続され、第１５抵抗Ｒ１５の第２端は第２チップＵ２のアース端子ＧＮＤに接続され、第１７抵抗Ｒ１７の第１端と第４スイッチングトランジスタＱ４の低電位側は第２リレーＱＰ２の第３端に共に接続され、第１７抵抗Ｒ１７の第２端と第４ダイオードＤ４の第１端は第４スイッチングトランジスタＱ４の被制御端に共に接続され、第４ダイオードＤ４の第２端は接地され、第４スイッチングトランジスタＱ４の高電位側は接地され、第４スイッチングトランジスタＱ４の高電位側と第４スイッチングトランジスタＱ４の低電位側は第３リレーＱＰ３の第１端に共に接続され、第３リレーＱＰ３の第２端は第１充電ユニット２２の充電出力端である。
【００２６】
図５は本発明の実施例によるアダプタ機能を有するドッキングステーションにおける第２充電ユニットの具体的な回路図である。図５に示すように、第２充電ユニット２３は、第３チップＵ３、第１８抵抗Ｒ１８、第１９抵抗Ｒ１９、第２０抵抗Ｒ２０、第２１抵抗Ｒ２１、第２２抵抗Ｒ２２、第２３抵抗Ｒ２３、第２４抵抗Ｒ２４、第５ダイオードＤ５、第１インダクタＬ１、第４電気容量Ｃ４、第５電気容量Ｃ５、第６電気容量Ｃ６および第７電気容量Ｃ７を含む。
【００２７】
第４電気容量Ｃ４の第１端、第１８抵抗Ｒ１８の第１端は第３チップＵ３の直流電力入力端ＶＩＮに接続され、且つ第４ノードを構成し、第４ノードは第２充電ユニット２３の被制御端であり、第４電気容量Ｃ４の第２端は接地され、第１８抵抗Ｒ１８の第２端と第１９抵抗Ｒ１９の第１端は第３チップＵ３のイネーブル端子ＥＮに共に接続され、第１９抵抗Ｒ１９の第２端は接地され、第３チップＵ３の昇圧制御端ＢＳＴは第２０抵抗Ｒ２０の第１端に接続され、第２０抵抗Ｒ２０の第２端と第５電気容量Ｃ５の第１端は第５ダイオードＤ５の第１端に接続され、第５電気容量Ｃ５の第２端と第１インダクタＬ１の第１端は第３チップＵ３のスイッチノード端ＳＷに接続され、第５ダイオードＤ５の第２端と第２３抵抗Ｒ２３の第１端は第１インダクタＬ１の第２端に接続され、第２１抵抗Ｒ２１の第１端は第１インダクタＬ１の第１端に接続され、第２１抵抗Ｒ２１の第２端と第６電気容量Ｃ６の第１端は第２２抵抗Ｒ２２の第１端に共に接続され、第２２抵抗Ｒ２２の第２端は第３チップＵ３のフィードバック端ＦＢに接続され、第６電気容量Ｃ６の第２端は第１インダクタＬ１の第２端に接続され、第２３抵抗Ｒ２３の第２端と第２４抵抗Ｒ２４の第１端は第２２抵抗Ｒ２２の第２端に共に接続され、第２４抵抗Ｒ２４の第２端は接地され、第７電気容量Ｃ７の第１端は第２３抵抗Ｒ２３の第１端に接続され、第７電気容量Ｃ７の第１端は第２充電ユニット２３の充電出力端であり、第７電気容量Ｃ７の第２端は接地される。
【００２８】
以下、図２〜図５を参照しながら、本発明に係るアダプタ機能を有するドッキングステーション１００の動作原理について詳細に説明する。
図２に示すように、交流電源１１０からＡＣ／ＤＣ変換モジュール１０に交流電力が出力されると、制御モジュール３０は認識ユニット２１にトリガー信号を送信し、さらに認識ユニット２１を動作させるようにトリガーする。図３に示すように、制御モジュール３０は、認識ユニット２１にトリガー信号を送信し、すなわち、制御モジュール３０は第１チップＵ１のＰＷＭにトリガー信号を出力し、さらに第１チップＵ１を動作させるようにトリガーする。
【００２９】
第１チップＵ１の信号サンプリング端Ｉ２Ｃは、第１インターフェースモジュール４０がターゲット機器１２０に接続されると認識した場合、第１チップＵ１は、第３スイッチングトランジスタＱ３の高電位側を第４抵抗Ｒ４の第１端に接続することによって第２ノードの電位を構成するように制御し、さらに第１充電ユニット２２を制御してターゲット機器１２０を充電させる。
【００３０】
第１チップＵ１の信号サンプリング端Ｉ２Ｃは、第１インターフェースモジュール４０と第２インターフェースモジュール５０がそれぞれ２つのターゲット機器１２０に接続されると認識した場合、第１チップＵ１は、第３スイッチングトランジスタＱ３の高電位側を第４抵抗Ｒ４の第１端に接続することによって第２ノードの電位を構成することを制御し、さらに第２充電ユニット２３を制御して第１インターフェースモジュール４０および第２インターフェースモジュール５０を介して２つのターゲット機器１２０をそれぞれ充電させる。
【００３１】
なお、第１充電ユニット２２はＤＣ−ＤＣ変換回路である。図４に示すように、第１チップＵ１の信号サンプリング端Ｉ２Ｃは、第１インターフェースモジュール４０がターゲット機器１２０に接続されると認識した場合、認識ユニット２１の出力端を介して第１充電ユニット２２に第１直流電力を出力し、すなわち、第３スイッチングトランジスタＱ３の高電位側を第４抵抗Ｒ４の第１端に接続して構成した第２ノードを介して第１充電ユニット２２に第１直流電力を出力する。第１充電ユニット２２における第２チップＵ２およびその周辺回路は、第１直流電力に従って第２直流電力を出力し、さらに第１インターフェースモジュール４０に接続されたターゲット機器１２０を充電させる。
【００３２】
図３および図５を参照し、第２充電ユニット２３における第３チップＵ３は比較チップであり、第１チップＵ１の信号サンプリング端Ｉ２Ｃは、第１インターフェースモジュール４０と第２インターフェースモジュール５０がそれぞれ２つのターゲット機器１２０に接続されると認識した場合、第１チップＵ１は、第３スイッチングトランジスタＱ３の高電位側を第４抵抗Ｒ４の第１端に接続することによって第２ノードの電位を構成するように制御し、さらに第２充電ユニット２３を制御して第１インターフェースモジュール４０と第２インターフェースモジュール５０を介して２つのターゲット機器１２０をそれぞれ充電させる。第２充電ユニット２３が第１インターフェースモジュール４０と第２インターフェースモジュール５０を介して２つのターゲット機器１２０をそれぞれ充電させる過程で、第３チップＵ３のフィードバック端ＦＢは、第２２抵抗Ｒ２２、第２３抵抗Ｒ２３および第２４抵抗Ｒ２４によってターゲット機器１２０を充電する充電電圧または充電電流を検出し、閉ループ充電回路を形成する。
【００３３】
本発明はさらに端末付属品２００を提供することを目的とし、図６に示すように、端末付属品２００は上記実施例におけるアダプタ機能を有するドッキングステーション１００を含む。
本実施例による端末付属品が本実用新案に関連する具体的な実施形態と動作原理は、上記実施例において既に詳しく説明したので、ここで再度の説明を省略する。
【００３４】
本発明に係るアダプタ機能を有するドッキングステーションは、交流電源とターゲット機器の間を接続してターゲット機器を充電し、または複数のターゲット機器の間を接続してデータ伝送経路を提供するために使用され、ドッキングステーションは、ＡＣ／ＤＣ変換モジュール、充電モジュール、制御モジュールおよび少なくとも２つのインターフェースモジュールを含む。交流電源からＡＣ／ＤＣ変換モジュールに交流電力を出力するとき、ＡＣ／ＤＣ変換モジュールは、交流電力に従って充電モジュールおよび制御モジュールに第１直流電力および第２直流電力をそれぞれ出力し、それにより、制御ユニットは、第１直流電力に従って動作し、充電モジュールが第２直流電力に従ってそれぞれのインターフェースモジュールに接続されたターゲット機器を充電するように制御する。それぞれのインターフェースモジュールがターゲット機器にそれぞれ接続されると、制御モジュールは、それぞれのインターフェースモジュールの信号伝送順序を制御し、ターゲット機器間でインターフェースモジュールを介したデータ伝送が行われるようにする。それによって、ドッキングステーションは、使用中にアダプタとして端末に給電することもでき、端末の継続的な動作を保証する。
【００３５】
上記は本発明の好ましい実施例に過ぎず、本発明を制限するためのものではなく、本発明の精神及び原則においてなされたあらゆる変更、等価取替及び改良等は、本発明の保護範囲に含まれるはずである。
【符号の説明】
【００３６】
１０  変換モジュール
２０  充電モジュール
２１  認識ユニット
２２  第１充電ユニット
２３  第２充電ユニット
３０  制御モジュール
３１  制御ユニット
３２  変換ユニット
４０  インターフェースモジュール
５０  第２インターフェースモジュール
１００  ドッキングステーション
１１０  交流電源
１２０  ターゲット機器
１３０  マルチメディア信号読取機器
２００  端末付属品
【図１】
2019533977.tif 000003
【図２】
2019533977.tif 000004
【図３】
2019533977.tif 000005
【図４】
2019533977.tif 000006
【図５】
2019533977.tif 000007
【図６】
2019533977.tif 000008
【国際調査報告】
2019533977.tif 000009
2019533977.tif 000010
2019533977.tif 000011
2019533977.tif 000012